(57)【要約】【課題】      釣り竿を取り出す時交換用の穂先側部品の折損を防止できる釣り竿ケ−スを提供すること。【解決手段】  内ケ−ス１の外側を装体２で覆い、内ケ−ス１内に釣り竿１４が収納される釣り竿収納部Ａ、Ｂと、釣り竿の穂先側部品１５が収納される穂先側部品収納部Ｃ、Ｄ、Ｅを構成し、穂先側部品収納部Ｃ、Ｄ、Ｅの開口を覆う第１の蓋体５と、収納部全体の上端開口を覆う第２の蓋体６とで形成されている。  第１の蓋体５は第１の蓋体５に取り付けられた面ファスナからなる止め具１６がフレ−ム部材３に固定された止め具１７に係合されて閉塞状態が維持され、第２の蓋体６は第２の蓋体６に取り付けられた止め具１８が外装体２に固定された止め具１９に係合されて閉塞状態が維持される。【選択図】        図２
2005198508.tif 000002
【特許請求の範囲】
【請求項１】
複数の収納部を有する内ケ−スを外装体で覆った釣り竿ケ−スにおいて、前記内ケ−スは、釣り竿収納部と前記釣り竿収納部より幅の小さい釣り竿の穂先側部品収納部を有しており、前記釣り竿の穂先側部品収納部の開口を閉塞する第１の蓋体と収納部の開口全体を閉塞する第２の蓋体を有していることを特徴とする釣り竿ケ−ス。
【請求項２】
内ケ−スは、複数の筒状体で形成されていることを特徴とする請求項１記載の釣り竿ケ−ス。
【請求項３】
内ケ−スは、釣り竿収納部の一側に釣り竿の穂先側部品収納部を有する一対の筒状体で形成したことを特徴とする請求項２記載の釣り竿ケ−ス。
【発明の詳細な説明】
【技術分野】
【０００１】
本発明は、複数の収納部を有する内ケ−スを外装体で覆った釣り竿ケ−スの改良に関する。
【背景技術】
【０００２】
従来から釣り竿ケ−スは、特許文献１や特許文献２のように、複数本の釣り竿が収納できるように仕切りによって複数の収納部を有し、収納部ごとに一本ずつ釣り竿が収納できるようにしたものが使用されている。
このような釣り竿ケ−スは、主に鮎竿や渓流竿やへら竿等のように構造が比較的薄肉の釣り竿を収納し、折損等を防止するのに適しており、また、釣り糸ガイドを有していないため周辺への突出が少く収納性が良好で、遊びを少なく収納することができる。
特許文献１には、複数本の釣り竿が収納できるように２個の収納部を有し、収納部ごと一本ずつ釣竿が収納できるようにした釣り竿ケ−スが紹介されている。
特許文献２には、複数本の釣り竿が収納できるように２個の収納部を有し、その収納部の間に穂先竿が収納できるようにした釣り竿ケ−スが紹介されている。
前記特許文献１の釣り竿ケ−スでは、交換用の穂先側部品を収納する収納部を有していないため釣り竿と共に携帯することができなかった。
前記特許文献２の釣り竿ケ−スでは、交換用の穂先側部品の収納部を有しているが、釣り竿を取り出そうとして釣り竿ケ−スを開口を下にして傾けると釣り竿と共に穂先部品がでてしまうため折損しやすい。
【特許文献１】特開平２００１−１４８９８９号公報
【特許文献２】実公昭５４−３９４３６号公報
【発明の開示】
【発明が解決しようとする課題】
【０００３】
解決しようとする問題点は、従来から釣り竿ケ−スは、釣り竿を取り出そうとして釣り竿ケ−スを開口を下にして傾けると釣り竿と共に穂先部品がでてしまうため折損しやすいことである。
【０００４】
本発明の目的は前記欠点に鑑み、釣り竿を取り出す時交換用の穂先側部品の折損を防止できる釣り竿ケ−スを提供することである。
【課題を解決するための手段】
【０００５】
本発明の請求項１は、複数の収納部を有する内ケ−スを外装体で覆った釣り竿ケ−スにおいて、前記内ケ−スは、釣り竿収納部と前記釣り竿収納部より幅の小さい釣り竿の穂先側部品収納部を有しており、前記釣り竿の穂先側部品収納部の開口を閉塞する第１の蓋体と収納部の開口全体を閉塞する第２の蓋体を有していることを要旨とするものである。
本発明の請求項２は、内ケ−スは、複数の筒状体で形成されていることを要旨とするものである。
本発明の請求項３は、内ケ−スは、釣り竿収納部の一側に釣り竿の穂先側部品収納部を有する一対の筒状体で形成したことを要旨とするものである。
【発明の効果】
【０００６】
本発明により、釣り竿収納部に釣り竿を収納し、釣り竿の穂先側部品収納部に交換用の穂先側部品をそれぞれ収納することができ互いの接触による破損が防止される。
また、釣り竿を取り出すために開口部を下にして釣り竿ケ−スを逆さにしても交換用の穂先側部品は第１の蓋体によって穂先側部品収納部から飛び出しが防止され安全に釣り竿を取り出すことができる。
【発明を実施するための最良の形態】
【０００７】
内ケ−ス１と、内ケ−ス１の外側を覆う外装体２と、内ケ−ス１の上端開口１ａのエッジを覆うフレ−ム部材３と、内ケ−ス１の下端開口１ｂを閉塞する底部材４と、内ケ−ス１内に釣り竿収納部Ａと釣り竿収納部Ｂを構成する仕切り板１０、１１と、内ケ−ス１内の釣り竿収納部Ａと釣り竿収納部Ｂの間に設けられて穂先側部品収納部Ｃと穂先側部品収納部Ｄと穂先側部品収納部Ｅを構成する仕切り板１２、１３と、フレ−ム部材３または外装体２の後側に一端が固定されて穂先側部品収納部Ｃ、Ｄ、Ｅの開口を覆う第１の蓋体５と、フレ−ム部材３または外装体２の後側に一端が固定されて収納部全体の上端開口を覆う第２の蓋体６とで形成されている。
釣り竿収納部Ａ、Ｂの中には釣り竿１４が収納され、穂先側部品収納部Ｃ、Ｄ、Ｅの中には穂先側部品１５が収納される。
【０００８】
第１の蓋体５の他端内側には、面ファスナからなる止め具１６が固定され、止め具１６の対応するフレ−ム部材３の前側の位置に面ファスナからなる止め具１７が固定され、第１の蓋体５で３個の釣り竿の穂先側部品収納部Ｃ、Ｄ、Ｅの開口が開閉自在に覆われて止め具１６、１７で閉塞状態が維持できるようになっている。
第２の蓋体６の他端外側には長さが調整可能なベルトに止め具１８が取り付けられ、止め具１８の対応する外装体２の前側の位置に止め具１９が固定され、第２の蓋体６で収納部Ａ、Ｂ、Ｃ、Ｄ、Ｅの開口全体を開閉自在に覆って止め具１８、１９で閉塞状態が維持できるようになっている。
【実施例１】
【０００９】
以下、図示の実施例によって本発明を説明すると、図１から図６は第１実施例で、図１（ａ）は釣り竿ケ−スの側面図で（ｂ）は釣り竿ケ−スの斜視図、図２は第１と第２の蓋体が開けられた釣り竿ケ−スの斜視図、図３は第１の蓋体が閉じられ第２の蓋体が開けられた釣り竿ケ−スの斜視図、図４（ａ）は釣り竿ケ−スの幅広い側の断面側面図で（ｂ）は幅狭い側の断面側面図、図５は釣り竿ケ−スの幅広い側の一部拡大断面側面図、図６はフレ−ム部材の平面図である。
【００１０】
釣り竿ケ−スは、内ケ−ス１と、内ケ−ス１の外側の外装体２と、内ケ−ス１の上端開口１ａのエッジを覆うフレ−ム部材３と、内ケ−ス１の下端開口１ｂを閉塞する底部材４と、内ケ−ス１内に釣り竿収納部Ａと釣り竿収納部Ｂを構成する仕切り板１０、１１と、内ケ−ス１内の釣り竿収納部Ａと釣り竿収納部Ｂの間に設けられて釣り竿の穂先側部品収納部Ｃと穂先側部品収納部Ｄと穂先側部品収納部Ｅを構成する仕切り板１２、１３と、フレ−ム部材３または外装体２の後側に一端が固定されて穂先側部品収納部Ｃ、Ｄ、Ｅの開口を覆う第１の蓋体５と、フレ−ム部材３または外装体２の後側に一端が固定されて収納部全体の上端開口を覆う第２の蓋体６とで形成されている。
図では２個の釣り竿収納部Ａ、Ｂとこの釣り竿収納部Ａ、Ｂの間に釣り竿収納部Ａ、Ｂの幅Ｈより小さい幅ｈに形成された３個の釣り竿の穂先側部品収納部Ｃ、Ｄ、Ｅを有している。
内ケ−ス１と仕切り板１０、１１、１２、１３は一体に形成してもよい。
釣り竿の穂先側部品とは例えば穂先や先端から２番目の釣り竿部品とする。
【００１１】
内ケ−ス１は釣り竿１４と穂先側部品１５が収納できる長さを有する筒状体であり、外装体２より硬い材料の合成樹脂材料で形成され、長手方向の上端開口１ａと下端開口１ｂを有し、外装体２は柔軟性を有する材料の皮革や布や合成樹脂のシ−ト等で形成されて内ケ−ス１の外側を覆っている。
内ケ−ス１の上端開口１ａにはそのエッジと外装体２の上端を覆うようにフレ−ム部材３が取り付けられており、内ケ−ス１の上端開口１ａに釣り竿１４と穂先側部品１５が接触したときでも傷つきが防止されると共に内ケ−ス１の上端開口１ａが補強されている。
フレ−ム部材３には外側３ａと夫々の開口３ｂ、３ｃ、３ｄ、３ｅ、３ｆ位置の内側にリブが形成されて内ケ−ス１の上端開口１ａの周壁端部と仕切り板１０、１１、１２、１３の上端周壁端部が嵌合固定されている。
外装体２の上端も外側３ａの内側に嵌合固定されている。
内ケ−ス１の下端開口１ｂは底部材４で閉塞され、底部材４にも外側４ａと内側の仕切り板１０、１１、１２、１３の下端周壁端部の位置にリブが形成されて嵌合固定されている。
外装体２の下端も外側４ａの内側に嵌合固定されている。
【００１２】
第１の蓋体５の他端内側には、面ファスナからなる止め具１６が固定され、止め具１６の対応するフレ−ム部材３の前側の位置に面ファスナからなる止め具１７が固定され、第１の蓋体５で３個の釣り竿の穂先側部品収納部Ｃ、Ｄ、Ｅの開口が開閉自在に覆われて止め具１６、１７で閉塞状態が維持できるようになっている。
第２の蓋体６の他端外側には長さが調整可能なベルトに止め具１８が取り付けられ、止め具１８の対応する外装体２の前側の位置に止め具１９が固定され、第２の蓋体６で収納部Ａ、Ｂ、Ｃ、Ｄ、Ｅの開口全体を開閉自在に覆って止め具１８、１９で閉塞状態が維持できるようになっている。
外装体２の外側の上下にはバンド２０、２１が取り付けられてバンド２０、２１に肩掛けベルト２２が取り付けられている。
外装体２の外側の上下に図示しないバンドを取り付けてこのバンドに手で握るハンドルを取り付けてもよい。
釣り竿１４は例えば振り出し式釣り竿や並継ぎ竿で、振り出し式釣り竿の場合は下端には尻栓２３が取り付けられ、上端には上栓２４が取り付けられている。
【００１３】
釣り竿ケ−スの中に釣り竿１４と穂先側部品１５が収納されるときは、釣り竿１４は釣り竿収納部Ａや釣り竿収納部Ｂに収納され、穂先側部品１５は穂先側部品収納部Ｃや穂先側部品収納部Ｄや穂先側部品収納部Ｅに収納される。
穂先側部品収納部Ｃや穂先側部品収納部Ｄや穂先側部品収納部Ｅに穂先側部品１５が収納された後は第１の蓋体５で穂先側部品収納部Ｃ、Ｄ、Ｅの開口が開閉自在に覆われて閉塞状態が止め具１６、１７で維持される。
その後釣り竿収納部Ａ、Ｂの開口と第１の蓋体５で閉じられた穂先側部品収納部Ｃ、Ｄ、Ｅが第２の蓋体６で開閉自在に覆われて止め具１８、１９で閉塞状態が維持される。
穂先側部品収納部Ｃ、Ｄ、Ｅの開口が第１の蓋体５で覆われていると、釣り竿収納部Ａや釣り竿収納部Ｂに収納された釣り竿１４を引き出すために釣り竿ケ−スを傾けても穂先側部品１５が滑り出ない。
第２の蓋体６が閉じられるときは、第１の蓋体５上を覆うため第１の蓋体５が不用意に開くことが無い。
釣り竿収納部Ａ、Ｂの開口を覆う第３の蓋体を設けてもよい。
【００１４】
前記のように釣り竿ケ−スが構成されると、釣り竿収納部Ａ、Ｂに釣り竿１４を収納し、釣り竿の穂先側部品収納部Ｃ、Ｄ、Ｅに交換用の穂先側部品１５をそれぞれ収納することができ互いの接触による破損が防止される。
また、釣り竿１４を取り出すために開口部を下にして釣り竿ケ−スを逆さにしても交換用の穂先側部品１５は第１の蓋体５によって穂先側部品収納部Ｃ、Ｄ、Ｅから飛び出しが防止され安全に釣り竿１４を取り出すことができる。
【実施例２】
【００１５】
図７から図９は第２実施例で、図７は第１と第２の蓋体が開けられた釣り竿ケ−スの斜視図、図８（ａ）は内ケ−スとフレ−ム部材の分解斜視図で（ｂ）は第１の蓋体が閉じられ第２の蓋体が開けられた釣り竿ケ−スの斜視図、図９は釣り竿ケ−スの要部で一部断面平面図である。
【００１６】
第２実施例の釣り竿ケ−スは、同形で一対の内ケ−ス７と内ケ−ス８を組み合わせて上端にフレ−ム部材３′が嵌合固定され、その外側を外装体２′で覆って形成されると共に、外装体２′の後側に一端が固定されて穂先側部品収納部Ｃ、Ｄ、Ｅの開口を覆う第１の蓋体５と、外装体２′の後側に一端が固定されて収納部全体の上端開口を覆う第２の蓋体６とで形成されている。
内ケ−ス７と内ケ−ス８の底部は外装体２′と一体の部材で覆ったり別体の底部材で閉塞され、上端開口は外装体２′の開口部とその高さが一致して位置される。
内ケ−ス７は、四角の釣り竿収納部Ａとその一側から突出するように釣り竿収納部Ａより幅の小さい四角の釣り竿の穂先側部品収納部Ｃが一体に形成されている。
内ケ−ス８は、四角の釣り竿収納部Ｂとその一側から突出するように釣り竿収納部Ｂより幅の小さい四角の釣り竿の穂先側部品収納部Ｅが一体に形成されている。
【００１７】
内ケ−ス７と内ケ−ス８をそれぞれ穂先側部品収納部Ｃと穂先側部品収納部Ｅが形成された側面を向い合わせて組み合わせることにより釣り竿の穂先側部品収納部Ｃと釣り竿の穂先側部品収納部Ｅの間に釣り竿の穂先側部品収納部Ｄが形成される。
内ケ−ス７、８の四角の釣り竿収納部Ａ、Ｂの外側には上下に夫々位置ずれを防止するための突起７ａ、８ａが形成されている。
外装体２′の前側に第１の蓋体５の止め具１６に対応する止め具１７が固定されている。
他の構成は前記第１実施例と略同一である。
【実施例３】
【００１８】
図１０、図１１は第３実施例で、図１０は内ケ−スの分解平面図、図１１は第１と第２と第３の蓋体が開けられた釣り竿ケ−スの斜視図である。
【００１９】
第３実施例の釣り竿ケ−スは、釣り竿収納部Ａ、Ｂを有する内ケ−ス２５と釣り竿収納部Ａ、Ｂより小さい幅に形成された穂先側部品収納部Ｃ、Ｄが形成された内ケ−ス２６を組み合わせて上端にフレ−ム部材３″が嵌合固定され、その外側を外装体２′で覆って形成されると共に、外装体２′の後側に一端が固定されて穂先側部品収納部Ｃ、Ｄの開口を覆う第１の蓋体５と、外装体２′の後側に一端が固定されて釣り竿収納部Ａ、Ｂの開口を覆う第３の蓋体９、９と、収納部全体の上端開口を覆う第２の蓋体６とで形成されている。
外装体２′の前側に第１の蓋体５の止め具１６と第３の蓋体９、９の止め具２７に対応する止め具１７、２８が夫々固定されている。
他の構成は前記第１実施例または第２実施例と略同一である。
【産業上の利用可能性】
【００２０】
本発明は釣り竿ケ−ス全般に利用できる。
【図面の簡単な説明】
【００２１】
【図１】第１実施例で、（ａ）は釣り竿ケ−スの側面図で（ｂ）は釣り竿ケ−スの斜視図である。
【図２】同第１と第２の蓋体が開けられた釣り竿ケ−スの斜視図である。
【図３】同第１の蓋体が閉じられ第２の蓋体が開けられた釣り竿ケ−スの斜視図である。
【図４】同（ａ）は釣り竿ケ−スの幅広い側の断面側面図で（ｂ）は幅狭い側の断面側面図である。
【図５】同釣り竿ケ−スの幅広い側の一部拡大断面側面図である。
【図６】同フレ−ム部材の平面図である。
【図７】第２実施例で、第１と第２の蓋体が開けられた釣り竿ケ−スの斜視図である。
【図８】同（ａ）は内ケ−スとフレ−ム部材の分解斜視図で（ｂ）は第１の蓋体が閉じられ第２の蓋体が開けられた釣り竿ケ−スの斜視図である。
【図９】同釣り竿ケ−スの要部で一部断面平面図である。
【図１０】第３実施例で、内ケ−スの分解平面図である。
【図１１】同第１と第２と第３の蓋体が開けられた釣り竿ケ−スの斜視図である。
【符号の説明】
【００２２】
１  内ケ−ス
１ａ  開口
２  外装体
Ａ、Ｂ  釣り竿収納部
Ｃ、Ｄ、Ｅ  釣り竿の穂先側部品収納部
５  第１の蓋体
６  第２の蓋体
１４  釣り竿
１５  穂先側部品
【図１】
2005198508.tif 000003
【図２】
2005198508.tif 000004
【図３】
2005198508.tif 000005
【図４】
2005198508.tif 000006
【図５】
2005198508.tif 000007
【図６】
2005198508.tif 000008
【図７】
2005198508.tif 000009
【図８】
2005198508.tif 000010
【図９】
2005198508.tif 000011
【図１０】
2005198508.tif 000012
【図１１】
2005198508.tif 000013